(57)【特許請求の範囲】
【請求項１】
記録媒体に記録されている映像データ及び音声データを含む素材データを伝送するデータ伝送装置であって、
上記映像データ及び音声データに関する付加的なデータであるメタデータを格納するバリュー領域と、上記バリュー領域の前段に設けられ上記メタデータのデータ長を記述するバリュー・レングス領域と、上記バリュー・レングス領域の前段に設けられ上記メタデータに対して固有のラベリングを施すためのユニバーサル・ラベル・データ・キー領域とに大別され、上記バリュー領域として少なくとも、上記素材データを区別するための符号を格納するマテリアル・ナンバ領域と、上記素材データが作成された場所に関する位置情報を示す符号を格納するスペーシャル・コーディネイト領域とを有し、上記素材データのそれぞれ毎に付与する固有の識別データを生成するデータ生成手段と、
上記識別データを伝送する伝送手段とを備え、
上記素材データが作成された場所に関する位置情報は、高度情報、経度情報及び緯度情報として上記スペーシャル・コーディネイト領域に格納されており、
上記データ生成手段は、上記スペーシャル・コーディネイト領域に格納される上記高度情報の一部に、少なくとも、上記高度情報が地球の中心からの距離であるか、又は上記高度情報が所定の測地座標系を用いて測位された地球楕円体の表面からの距離であるかを識別可能とする識別情報を記述して、上記識別データを生成する
データ伝送装置。
【請求項２】
上記データ生成手段は、上記高度情報の測位方法に関する情報を上記識別情報として記述して、上記識別データを生成する
請求項１記載のデータ伝送装置。
【請求項３】
上記データ生成手段は、上記高度情報が手入力された値であることを示す情報を上記識別情報として記述して、上記識別データを生成する
請求項２記載のデータ伝送装置。
【請求項４】
上記データ生成手段は、上記高度情報がＧＰＳによって測位された値であることを示す情報を上記識別情報として記述して、上記識別データを生成する
請求項２記載のデータ伝送装置。
【請求項５】
上記データ生成手段は、上記高度情報を求めるために用いた衛星捕捉数を示す情報を上記識別情報として記述して、上記識別データを生成する
請求項４記載のデータ伝送装置。
【請求項６】
上記データ生成手段は、上記高度情報がディファレンシャル・ＧＰＳによって測位された値であることを示す情報を上記識別情報として記述して、上記識別データを生成する
請求項４記載のデータ伝送装置。
【請求項７】
上記データ生成手段は、上記高度情報が所定の測地座標系を用いて測位された上記地球楕円体の表面からの距離である場合に、上記高度情報の正負識別を示す情報を上記識別情報として記述して、上記識別データを生成する
請求項１記載のデータ伝送装置。
【請求項８】
上記データ生成手段は、上記高度情報の測位対象に関する情報を上記識別情報として記述して、上記識別データを生成する
請求項１記載のデータ伝送装置。
【請求項９】
上記データ生成手段は、上記高度情報が上記素材データを作成して記録する記録機器のものであることを示す情報を上記識別情報として記述して、上記識別データを生成する
請求項８記載のデータ伝送装置。
【請求項１０】
上記データ生成手段は、上記高度情報が上記素材データを作成して記録する記録機器とは異なる外部機器のものであることを示す情報を上記識別情報として記述して、上記識別データを生成する
請求項８記載のデータ伝送装置。
【請求項１１】
上記データ生成手段は、上記高度情報が被写体のものであることを示す情報を上記識別情報として記述して、上記識別データを生成する
請求項８記載のデータ伝送装置。
【請求項１２】
上記高度情報は、４バイトからなるものであり、
上記データ生成手段は、上記高度情報を記述する４バイトのうち、第４バイト目に上記識別情報を記述する
請求項１記載のデータ伝送装置。
【請求項１３】
上記識別データは、上記ユニバーサル・ラベル・データ・キー領域として上記メタデータの種別を識別するための符号を格納するユニバーサル・ラベル領域を有するとともに、上記バリュー・レングス領域として上記メタデータのデータ長を示す符号を格納するレングス領域を有するものである
請求項１記載のデータ伝送装置。
【請求項１４】
上記識別データは、上記バリュー領域として、上記マテリアル・ナンバ領域の前段に設けられ上記素材データに各種処理が施されたか否かを示す符号を格納するインスタンス・ナンバ領域を有するものである
請求項１３記載のデータ伝送装置。
【請求項１５】
上記識別データは、上記バリュー領域として、上記スペーシャル・コーディネイト領域の前段に設けられ上記素材データが作成された時間と日付とを識別するための符号を格納するタイム及びデート・コード領域と、上記スペーシャル・コーディネイト領域の後段に設けられ国名を定義するカントリー領域、組織名を定義するオルガニゼーション領域、及び上記素材データを作成したユーザ名を定義するユーザ領域とを有するものである
請求項１４記載のデータ伝送装置。
【請求項１６】
上記記録媒体に記録されている上記素材データを再生する再生手段を備える
請求項１記載のデータ伝送装置。
【請求項１７】
上記記録媒体に対して上記素材データを記録する記録手段を備える
請求項１記載のデータ伝送装置。
【請求項１８】
外部から上記位置情報を取得する位置情報取得手段を備える
請求項１記載のデータ伝送装置。
【請求項１９】
上記記録媒体は、テープ状記録媒体である
請求項１記載のデータ伝送装置。
【請求項２０】
上記記録媒体は、ディスク状記録媒体である
請求項１記載のデータ伝送装置。
【請求項２１】
記録媒体に記録されている映像データ及び音声データを含む素材データを伝送するデータ伝送方法であって、
上記映像データ及び音声データに関する付加的なデータであるメタデータを格納するバリュー領域と、上記バリュー領域の前段に設けられ上記メタデータのデータ長を記述するバリュー・レングス領域と、上記バリュー・レングス領域の前段に設けられ上記メタデータに対して固有のラベリングを施すためのユニバーサル・ラベル・データ・キー領域とに大別され、上記バリュー領域として少なくとも、上記素材データを区別するための符号を格納するマテリアル・ナンバ領域と、上記素材データが作成された場所に関する位置情報を示す符号を格納するスペーシャル・コーディネイト領域とを有し、上記素材データのそれぞれ毎に付与する固有の識別データを生成するデータ生成工程と、
上記識別データを伝送する伝送工程とを備え、
上記素材データが作成された場所に関する位置情報は、高度情報、経度情報及び緯度情報として上記スペーシャル・コーディネイト領域に格納されており、
上記データ生成工程では、上記スペーシャル・コーディネイト領域に格納される上記高度情報の一部に、少なくとも、上記高度情報が地球の中心からの距離であるか、又は上記高度情報が所定の測地座標系を用いて測位された地球楕円体の表面からの距離であるかを識別可能とする識別情報が記述され、上記識別データが生成される
データ伝送方法。
【請求項２２】
上記データ生成工程では、上記高度情報の測位方法に関する情報が上記識別情報として記述され、上記識別データが生成される
請求項２１記載のデータ伝送方法。
【請求項２３】
上記データ生成工程では、上記高度情報が手入力された値であることを示す情報が上記識別情報として記述され、上記識別データが生成される
請求項２２記載のデータ伝送方法。
【請求項２４】
上記データ生成工程では、上記高度情報がＧＰＳによって測位された値であることを示す情報が上記識別情報として記述され、上記識別データが生成される
請求項２２記載のデータ伝送方法。
【請求項２５】
上記データ生成工程では、上記高度情報を求めるために用いた衛星捕捉数を示す情報が上記識別情報として記述され、上記識別データが生成される
請求項２４記載のデータ伝送方法。
【請求項２６】
上記データ生成工程では、上記高度情報がディファレンシャル・ＧＰＳによって測位された値であることを示す情報が上記識別情報として記述され、上記識別データが生成される
請求項２４記載のデータ伝送方法。
【請求項２７】
上記データ生成工程では、上記高度情報が所定の測地座標系を用いて測位された上記地球楕円体の表面からの距離である場合に、上記高度情報の正負識別を示す情報が上記識別情報として記述され、上記識別データが生成される
請求項２１記載のデータ伝送方法。
【請求項２８】
上記データ生成工程では、上記高度情報の測位対象に関する情報が上記識別情報として記述され、上記識別データが生成される
請求項２１記載のデータ伝送方法。
【請求項２９】
上記データ生成工程では、上記高度情報が上記素材データを作成して記録する記録機器のものであることを示す情報が上記識別情報として記述され、上記識別データが生成される
請求項２８記載のデータ伝送方法。
【請求項３０】
上記データ生成工程では、上記高度情報が上記素材データを作成して記録する記録機器とは異なる外部機器のものであることを示す情報が上記識別情報として記述され、上記識別データが生成される
請求項２８記載のデータ伝送方法。
【請求項３１】
上記データ生成工程では、上記高度情報が被写体のものであることを示す情報が上記識別情報として記述され、上記識別データが生成される
請求項２８記載のデータ伝送方法。
【請求項３２】
上記高度情報は、４バイトからなるものであり、
上記データ生成工程では、上記高度情報を記述する４バイトのうち、第４バイト目に上記識別情報が記述される
請求項２１記載のデータ伝送方法。
【請求項３３】
上記識別データは、上記ユニバーサル・ラベル・データ・キー領域として上記メタデータの種別を識別するための符号を格納するユニバーサル・ラベル領域を有するとともに、上記バリュー・レングス領域として上記メタデータのデータ長を示す符号を格納するレングス領域を有するものである
請求項２１記載のデータ伝送方法。
【請求項３４】
上記識別データは、上記バリュー領域として、上記マテリアル・ナンバ領域の前段に設けられ上記素材データに各種処理が施されたか否かを示す符号を格納するインスタンス・ナンバ領域を有するものである
請求項３３記載のデータ伝送方法。
【請求項３５】
上記識別データは、上記バリュー領域として、上記スペーシャル・コーディネイト領域の前段に設けられ上記素材データが作成された時間と日付とを識別するための符号を格納するタイム及びデート・コード領域と、上記スペーシャル・コーディネイト領域の後段に設けられ国名を定義するカントリー領域、組織名を定義するオルガニゼーション領域、及び上記素材データを作成したユーザ名を定義するユーザ領域とを有するものである
請求項３４記載のデータ伝送方法。
【請求項３６】
上記記録媒体に記録されている上記素材データを再生する再生工程を備える
請求項２１記載のデータ伝送方法。
【請求項３７】
上記記録媒体に対して上記素材データを記録する記録工程を備える
請求項２１記載のデータ伝送方法。
【請求項３８】
外部から上記位置情報を取得する位置情報取得工程を備える
請求項２１記載のデータ伝送方法。
【請求項３９】
上記記録媒体として、テープ状記録媒体が用いられる
請求項２１記載のデータ伝送方法。
【請求項４０】
上記記録媒体として、ディスク状記録媒体が用いられる
請求項２１記載のデータ伝送方法。
【発明の詳細な説明】
【０００１】
【発明の属する技術分野】
本発明は、映像データ及び音声データを含む素材データを伝送するデータ伝送装置及びデータ伝送方法に関する。
【０００２】
【従来の技術】
近年、撮影収録等によって得られた映像データ及び音声データ等からなる素材データを識別するために、各素材データ毎に固有の識別子を付与することが試みられており、具体的には、ＳＭＰＴＥ（Society of Motion Picture and Television Engineers）−３３０ＭにおいてＵＭＩＤ（Unique Material IDentifier）として提唱されている。
【０００３】
このＵＭＩＤは、素材データの作成に際して付与され、全世界的に固有とされる識別子であり、素材データ間で重複することはなく、ある素材データから複製された素材データに対しても新たな識別子が付与されるものである。そのため、ＵＭＩＤにおいては、例えば、複数の素材データからなる完全パッケージを作成した場合であっても、この完全パッケージから各素材データ毎の著作権の帰属先を把握することが可能となり、各素材データ毎に保護を図ることができる。また、ＵＭＩＤにおいては、例えば、多くの複製が存在する素材データの中からオリジナルの素材データを探索する際にも、有効な指標となる。実際に、放送局等においては、このＵＭＩＤによる素材データの識別を行うことにより、収録及び作成、編集、送出、アーカイブといった一連のプロセスの中で、現在どの素材データがどのプロセスにおいて使用されているかを明確化することができ、映像データ及び音声データに関する付加的なデータであるメタデータと映像データ及び音声データとをＵＭＩＤによってリンク付けることにより、各素材データの状況や使用経緯等を把握することが可能となる。
【０００４】
このようなＵＭＩＤは、具体的には図９に示す構造を有する。すなわち、ＵＭＩＤは、本来の役割である素材データの識別に用いられる３２バイトからなるベーシック・ＵＭＩＤ（Basic UMID）と、素材データの内容を用いて識別するための３２バイトからなるシグネチャ・メタデータ（Signature Metadata）とに大別され、全体として６４バイトからなるエクステンディッド・ＵＭＩＤ（Extended UMID）として構成される。
【０００５】
ここで、ＵＭＩＤにおいては、素材データを識別するための単純な識別子として、ベーシック・ＵＭＩＤを用いることにより、本来の役割を果たすことができる。しかしながら、このベーシック・ＵＭＩＤは、素材データを識別するために生成されたランダムな情報からなるものであり、素材データを直感的に認識するには寄与しないものである。そこで、ＵＭＩＤにおいては、例えば、素材データを作成した時期、場所、主体等の情報によっても素材データを識別することができ、且つ、素材データの内容を直感的に認識することが容易であることに着目し、これらの情報をシグネチャ・メタデータとしてベーシック・ＵＭＩＤに付加し、エクステンディッド・ＵＭＩＤというフォーマットを定義している。
【０００６】
このようなＵＭＩＤは、映像データ及び音声データとメタデータとをリンク付け、素材データを識別する。
【０００７】
【発明が解決しようとする課題】
ところで、上述したＵＭＩＤにおけるシグネチャ・メタデータは、図９に示したように、１２バイトからなるスペーシャル・コーディネイト（Spatial Co-ordinates）領域を有する。このスペーシャル・コーディネイト領域には、素材データが作成された場所に関する位置情報が、高度情報（Altitude）、経度情報（Longitude）及び緯度情報（Latitude）として格納される。スペーシャル・コーディネイト領域に格納されるこれらの位置情報は、例えば、素材データを収録する際に全地球測位システム（Global Positioning System；以下、ＧＰＳという。）によって測位された値に基づくものである。
【０００８】
具体的には、スペーシャル・コーディネイト領域は、図１０に示すように、高度情報、経度情報及び緯度情報が、それぞれ、４バイトずつのデータ領域を有して構成される。これらの高度情報、経度情報及び緯度情報は、それぞれ、各バイト毎に２ディジットの２進化１０進法（Binary Coded Decimal；ＢＣＤ）で表現される。そのため、スペーシャル・コーディネイト領域においては、例えば高度情報は、０ｍから９９，９９９，９９９ｍまでの値を記述することが可能である。
【０００９】
ここで、地球上の位置を高度、経度及び緯度で表現することを考える。地球の形状は、起伏があることから、地球上の位置を表現するためには、ある基準面を定め、この基準面の上で表現することになる。そこで、一般には、いわゆるジオイドに酷似するように定められた回転楕円体を想定し、この回転楕円体をもって地球の形状を代表することとしている。この回転楕円体は、地球楕円体と称されるものである。地球上の位置は、この地球楕円体を基準として、高度、経度及び緯度が表現される。
【００１０】
このような地球楕円体には、様々なものが提案されており、各国毎に独自に測地座標系と採用する地球楕円体を定義している。また、上述したＧＰＳを用いた測位においては、測地座標系として、いわゆるＷＧＳ（World Geodetic System）−８４座標系が用いられている。このＷＧＳ−８４座標系は、現在最も正確な測地座標系とされるＩＴＲＦ（International Terrestrial Reference Frame）座標系に極めて近い座標系であり、ＩＴＲＦ座標系と同様に、地球中心の座標系である。
【００１１】
具体的に説明するために、図１１に示す地球楕円体ＥＥを想定し、この地球楕円体ＥＥを基準として、点Ａの位置を表現する場合を考える。なお、同図における三次元直交座標系の座標軸の定義は、地球楕円体ＥＥの重心Ｃを原点とし、いわゆるグリニッジ子午線ＧＭＲと赤道ＥＱとの交点の方向にｘ軸をとり、このｘ軸から東経９０゜の方向にｙ軸をとり、さらに、北極の方向にｚ軸をとるものとする。この場合、点Ａの緯度は、点Ａから地球楕円体ＥＥの面に垂直に下ろした法線Ｎが、赤道面ＥＱＳとなす角度φＬＡで表現される。また、点Ａの経度は、法線Ｎと地球楕円体ＥＥの面との交点Ｉを通る子午線ＭＲが、グリニッジ子午線ＧＭＲとなす角度φＬＯで表現される。さらに、点Ａの高度は、点Ａから点Ｉまでの距離ｈで表現される。ここで、点Ａが実際には地上の点であっても、地球楕円体ＥＥの面よりも低い位置である場合には、点Ａの高度は、負値として表現される。
【００１２】
ＧＰＳを用いた測位においては、地球上の任意の点において、これと同様に表現された高度、経度及び緯度が求められる。
【００１３】
ところで、ＵＭＩＤにおけるスペーシャル・コーディネイト領域に格納される高度情報は、地球の中心からの距離として定義されている。すなわち、高度情報は、図１１に示した地球楕円体ＥＥで示す測地座標系における場合には、重心Ｃからの距離として記述される。
【００１４】
よりわかりやすく説明するために、図１２に示すように、地球楕円体ＥＥにおける子午線ＭＲでの断面を想定する。同図から明らかなように、ＧＰＳによって測位される点Ａの高度は、点Ａから点Ｉまでの距離ｈで表現される一方、スペーシャル・コーディネイト領域に格納される高度情報は、点Ａから重心Ｃまでの距離ｒとして記述される。
【００１５】
したがって、ＵＭＩＤを生成する機器は、高度情報をスペーシャル・コーディネイト領域に格納する際に、ＧＰＳ受信機を用いて取得した高度情報を、地球の重心からの距離に変換する必要があった。しかしながら、この距離ｒとして記述される高度情報は、直感的に把握できる値ではなく、明らかに実用的ではない。
【００１６】
本発明は、このような実情に鑑みてなされたものであり、従来のＵＭＩＤのフォーマットとの上位互換性を保ち、外部から取得した意味のある高度情報を有効利用して記述することができるフォーマットを提案し、このフォーマットに基づいたデータを伝送することができるデータ伝送装置及びデータ伝送方法を提供することを目的とするものである。
【００１７】
【課題を解決するための手段】
上述した目的を達成する本発明にかかるデータ伝送装置は、記録媒体に記録されている映像データ及び音声データを含む素材データを伝送するデータ伝送装置であって、映像データ及び音声データに関する付加的なデータであるメタデータを格納するバリュー領域と、このバリュー領域の前段に設けられメタデータのデータ長を記述するバリュー・レングス領域と、このバリュー・レングス領域の前段に設けられメタデータに対して固有のラベリングを施すためのユニバーサル・ラベル・データ・キー領域とに大別され、バリュー領域として少なくとも、素材データを区別するための符号を格納するマテリアル・ナンバ領域と、素材データが作成された場所に関する位置情報を示す符号を格納するスペーシャル・コーディネイト領域とを有し、素材データのそれぞれ毎に付与する固有の識別データを生成するデータ生成手段と、識別データを伝送する伝送手段とを備え、素材データが作成された場所に関する位置情報は、高度情報、経度情報及び緯度情報としてスペーシャル・コーディネイト領域に格納されており、データ生成手段は、スペーシャル・コーディネイト領域に格納される高度情報の一部に、少なくとも、高度情報が地球の中心からの距離であるか、又は高度情報が所定の測地座標系を用いて測位された地球楕円体の表面からの距離であるかを識別可能とする識別情報を記述して、識別データを生成することを特徴としている。
【００１８】
このような本発明にかかるデータ伝送装置は、スペーシャル・コーディネイト領域に格納される高度情報の一部に、少なくとも、高度情報が地球の中心からの距離であるか、又は高度情報が所定の測地座標系を用いて測位された地球楕円体の表面からの距離であるかを識別可能とする識別情報を記述した識別データを生成して伝送する。
【００１９】
また、上述した目的を達成する本発明にかかるデータ伝送方法は、記録媒体に記録されている映像データ及び音声データを含む素材データを伝送するデータ伝送方法であって、映像データ及び音声データに関する付加的なデータであるメタデータを格納するバリュー領域と、このバリュー領域の前段に設けられメタデータのデータ長を記述するバリュー・レングス領域と、このバリュー・レングス領域の前段に設けられメタデータに対して固有のラベリングを施すためのユニバーサル・ラベル・データ・キー領域とに大別され、バリュー領域として少なくとも、素材データを区別するための符号を格納するマテリアル・ナンバ領域と、素材データが作成された場所に関する位置情報を示す符号を格納するスペーシャル・コーディネイト領域とを有し、素材データのそれぞれ毎に付与する固有の識別データを生成するデータ生成工程と、識別データを伝送する伝送工程とを備え、素材データが作成された場所に関する位置情報は、高度情報、経度情報及び緯度情報としてスペーシャル・コーディネイト領域に格納されており、データ生成工程では、スペーシャル・コーディネイト領域に格納される高度情報の一部に、少なくとも、高度情報が地球の中心からの距離であるか、又は高度情報が所定の測地座標系を用いて測位された地球楕円体の表面からの距離であるかを識別可能とする識別情報が記述され、識別データが生成されることを特徴としている。
【００２０】
このような本発明にかかるデータ伝送方法は、スペーシャル・コーディネイト領域に格納される高度情報の一部に、少なくとも、高度情報が地球の中心からの距離であるか、又は高度情報が所定の測地座標系を用いて測位された地球楕円体の表面からの距離であるかを識別可能とする識別情報を記述した識別データを生成して伝送する。
【００２１】
さらに、上述した目的を達成する本発明にかかる伝送データ構造は、記録媒体に記録されている映像データ及び音声データを含む素材データのそれぞれ毎に付与される固有の識別データを伝送するための伝送データ構造であって、識別データは、映像データ及び音声データに関する付加的なデータであるメタデータを格納するバリュー領域と、このバリュー領域の前段に設けられメタデータのデータ長を記述するバリュー・レングス領域と、このバリュー・レングス領域の前段に設けられメタデータに対して固有のラベリングを施すためのユニバーサル・ラベル・データ・キー領域とに大別され、バリュー領域として少なくとも、素材データを区別するための符号を格納するマテリアル・ナンバ領域と、素材データが作成された場所に関する位置情報を示す符号を格納するスペーシャル・コーディネイト領域とを有し、素材データが作成された場所に関する位置情報は、高度情報、経度情報及び緯度情報としてスペーシャル・コーディネイト領域に格納され、スペーシャル・コーディネイト領域に格納される高度情報の一部に、少なくとも、高度情報が地球の中心からの距離であるか、又は高度情報が所定の測地座標系を用いて測位された地球楕円体の表面からの距離であるかを識別可能とする識別情報が記述されることを特徴としている。
【００２２】
このような本発明にかかる伝送データ構造は、スペーシャル・コーディネイト領域に格納される高度情報の一部に、少なくとも、高度情報が地球の中心からの距離であるか、又は高度情報が所定の測地座標系を用いて測位された地球楕円体の表面からの距離であるかを識別可能とする識別情報を記述する。
【００２３】
【発明の実施の形態】
以下、本発明を適用した具体的な実施の形態について図面を参照しながら詳細に説明する。
【００２４】
この実施の形態は、ＳＭＰＴＥ（Society of Motion Picture and Television Engineers）−３３０ＭにおいてＵＭＩＤ（Unique Material IDentifier）として提唱されている識別子を、撮影収録等によって得られた映像データ及び音声データを含む各素材データ毎に識別データとして生成して伝送するデータ伝送装置であって、素材データが作成された場所に関する位置情報を、ＵＭＩＤを拡張したフォーマットに基づいて格納し、伝送するものである。
【００２５】
まず、データ伝送装置の説明に先立って、新たに提案するＵＭＩＤのフォーマットについて説明する。
【００２６】
ＵＭＩＤは、ＳＭＰＴＥ規格に基づくＫＬＶ（Key Length Value）プロトコルに準拠したフォーマットを有する。ＫＬＶフォーマットは、図１に示すように、１６バイトからなるユニバーサル・ラベル・データ・キー（Universal Label Data Key）領域と、可変長であるバリュー・レングス（Value Length）領域と、可変長であるバリュー（Value）領域とから構成される。
【００２７】
ユニバーサル・ラベル・データ・キー領域は、ユニバーサル・ラベル・データ（Universal Label Data）を記述するものである。具体的には、ユニバーサル・ラベル・データ・キー領域は、バリュー領域に格納されるデータであって、映像データ及び音声データに関する付加的なデータであるメタデータに対して、固有のラベリングを施すためのデータ領域である。ユニバーサル・ラベル・データ・キー領域は、図示しないが、さらに、１バイトからなるオブジェクト・ＩＤ（Object IDentifier）及び１バイトからなるＵＬ・サイズ（Universal Label size）を含むＵＬ・ヘッダ（Universal Label Header）領域と、１バイトからなるＵＬ・コード（Universal Label Code）、１バイトからなるＳＭＰＴＥ・デザイン（SMPTE Design）、１バイトからなるレジストリ・デザイン（Registry Design）、１バイトからなるデータ・デザイン（Data Design）、及びリファレンス・バージョン（Reference Version）を含むＵＬ・デザイネーターズ（Universal Label Designatores）領域と、９バイトからなるデータ・エレメント・タグ（Data Element Tag）領域とに分けられている。バリュー・レングス領域は、バリュー領域に格納されるメタデータのデータ長を記述するものである。バリュー領域は、いわゆるＳＭＰＴＥ・ディクショナリーに対応するメタデータが格納されるものである。
【００２８】
このようなＫＬＶプロトコルに準拠するＵＭＩＤは、図２に示すように、本来の役割である素材データの識別に用いられる３２バイトからなるベーシック・ＵＭＩＤ（Basic UMID）と、素材データの内容を用いて識別するための３２バイトからなるシグネチャ・メタデータ（Signature Metadata）とに大別され、全体として６４バイトからなるエクステンディッド・ＵＭＩＤ（Extended UMID）として構成される。
【００２９】
ベーシック・ＵＭＩＤは、１２バイトからなるユニバーサル・ラベル（Universal Label）領域と、１バイトからなるレングス（Length）領域と、３バイトからなるインスタンス・ナンバ（Instance Number）領域と、１６バイトからなるマテリアル・ナンバ（Material Number）領域とから構成される。
【００３０】
ユニバーサル・ラベル領域は、データの種別を識別するための符号を格納するものであり、詳細はＳＭＰＴＥ−２９８Ｍにおいて規格化されている。具体的には、ユニバーサル・ラベル領域には、ＵＭＩＤであることを示す符号が格納される。レングス領域は、データ長を示す符号を格納するものである。具体的には、レングス領域には、ベーシック・ＵＭＩＤの場合には、“１３ｈ”が格納され、エクステンディッド・ＵＭＩＤの場合には、“３３ｈ”が格納される。インスタンス・ナンバ領域は、素材データに上書き処理や編集処理等が施されたか否かを示す符号を格納するものである。マテリアル・ナンバ領域は、素材データを区別するための符号を格納するものであり、４バイトからなるタイム・スナップ（Time Snap）と、８バイトからなるランダム・ナンバ（Random Number）と、４バイトからなるマシン・ノード（Machine Node）とを有する。
【００３１】
タイム・スナップは、１日のスナップクロックサンプル数を示し、クロック単位で素材データの作成時刻等を示すものである。ランダム・ナンバは、正確でない時刻をセットした場合や、例えばＩＥＥＥ（Institute of Electrical and Electronics Engineers、アメリカ電気電子学会）において定義された機器のネットワークアドレスが変化した場合に、重複した番号が付されないようにするための符号である。マシン・ノードは、ネットワークにおける機器を示すものである。
【００３２】
一方、シグネチャ・メタデータは、８バイトからなるタイム／デート・コード（Time/Date Code）領域と、１２バイトからなるスペーシャル・コーディネイト（Spatial Co-ordinates）領域と、４バイトからなるカントリー（Country）領域と、４バイトからなるオルガニゼーション（Organization）領域と、４バイトからなるユーザ（User）領域とから構成される。
【００３３】
タイム／デート・コード領域は、素材データが作成された時間と日付とを識別するための符号を格納するものである。スペーシャル・コーディネイト領域は、素材データが作成された場所に関する位置情報を示す符号を格納するものである。カントリー領域は、省略されたアルファベット等の文字や記号によって国名を定義するものである。オルガニゼーション領域は、省略されたアルファベット等の文字や記号によって組織名を定義するものである。ユーザ領域は、省略されたアルファベット等の文字や記号によって素材データを作成したユーザ名を定義するものである。
【００３４】
このようなエクステンディッド・ＵＭＩＤとして構成されるフォーマットにおいては、映像サイズやジェネレーション・ナンバ等を示すメタデータは含まれない。特に、ベーシック・ＵＭＩＤにおけるマテリアル・ナンバ領域は、素材データの状態や素材データの映像に関する他の情報が格納されるものではない。映像サイズやジェネレーション・ナンバ等を示すメタデータは、ＫＬＶフォーマットに基づいて伝送されることになる。エクステンディッド・ＵＭＩＤとして構成されるフォーマットに基づくデータは、映像データ及び音声データ並びにメタデータからなる素材データを作成して記録する記録機器によって生成され、伝送されることになる。
【００３５】
さて、このようなＵＭＩＤにおけるスペーシャル・コーディネイト領域には、図３に示すように、素材データが作成された場所に関する位置情報が、４バイトからなる高度情報（Altitude）、４バイトからなる経度情報（Longitude）及び４バイトからなる緯度情報（Latitude）として格納される。これらの位置情報は、例えば、素材データを収録する際に全地球測位システム（Global Positioning System；以下、ＧＰＳという。）によって測位された値に基づくものである。これらの高度情報、経度情報及び緯度情報は、それぞれ、各バイト毎に２ディジットの２進化１０進法（Binary Coded Decimal；ＢＣＤ）で表現される。
【００３６】
ここで、１ディジットは、４ビットで構成されることに着目する。すなわち、１ディジットは、１０進数表記で“０”から“１５”までの値を記述することができることに着目する。従来のＵＭＩＤにおけるスペーシャル・コーディネイト領域に格納される高度情報、経度情報及び緯度情報は、それぞれ、１ディジットにおいて１０進数表記で“０”から“９”までの値を記述していたことから、“１０”から“１５”までの値、すなわち、１６進数表記で“Ａ”から“Ｆ”までの値を用いていなかった。そこで、新たに提案するフォーマットにおいては、１ディジットにおいて１６進数表記で“Ａ”から“Ｆ”までの値を用いることにより、所定の測地座標系を用いて測位された地球楕円体の表面からの距離を高度情報として記述することができるように拡張し、高度情報の一部に、少なくとも、高度情報が地球の中心からの距離であるか、又は高度情報が所定の測地座標系を用いて測位された地球楕円体の表面からの距離であるかを識別可能とする識別情報を記述する。すなわち、新たに提案するフォーマットにおいては、ＧＰＳによって測位された高度情報をそのまま記述することができるように拡張し、少なくとも、高度情報が地球の中心からの距離であるか、又は高度情報がいわゆるＷＧＳ（World Geodetic System）−８４座標系を用いてＧＰＳによって測位された地球楕円体の表面からの距離であるかを識別可能とする識別情報を記述する。
【００３７】
具体的には、新たに提案するフォーマットにおいては、図３に示したように、高度情報を記述する４バイトのうち、第１バイト目乃至第３バイト目については、従来のＵＭＩＤと同様に、ＢＣＤ表記で“０”から“９”までの値を記述するものとし、同図中斜線部で示す第４バイト目については、上位４ビットＭと下位４ビットＬとに分け、それぞれ、１６進数表記で“０”から“Ｆ”までの値を用いて識別情報として記述するものとする。上位４ビットＭ及び下位４ビットの意味付けは、それぞれ、次表１及び次表２で表すように定義する。
【００３８】
【表１】
0004529304.tif 000002
【００３９】
【表２】
0004529304.tif 000003
【００４０】
すなわち、新たに提案するフォーマットにおいては、上位４ビットＭに対して、スペーシャル・コーディネイト領域に格納している高度情報の測位方法に関する意味付けを持たせるとともに、下位４ビットＬに対して、スペーシャル・コーディネイト領域に格納している高度情報の正負識別と測位対象に関する意味付けを持たせる。
【００４１】
具体的には、上位４ビットＭが“０”から“９”までの値である場合には、スペーシャル・コーディネイト領域に格納している高度情報は、従来のＵＭＩＤと同様に、地球の中心からの距離を第１バイト目乃至第４バイト目で記述するものとなる。
【００４２】
また、上位４ビットＭが“Ａ”の値である場合には、スペーシャル・コーディネイト領域に格納している高度情報は、全ての値が手入力されたものであることを示す。
【００４３】
さらに、上位４ビットＭが“Ｂ”の値である場合には、スペーシャル・コーディネイト領域に格納している高度情報は、ＷＧＳ−８４座標系を用いたＧＰＳによって測位されたものであるが、０個又は１個の衛星から受信した信号によって求められたものであるため、その値の妥当性はないことを示す。
【００４４】
さらにまた、上位４ビットＭが“Ｃ”の値である場合には、スペーシャル・コーディネイト領域に格納している高度情報は、ＷＧＳ−８４座標系を用いたＧＰＳによって測位されたものであり、２個の衛星から受信した信号によって求められたものであることを示す。
【００４５】
また、上位４ビットＭが“Ｄ”の値である場合には、スペーシャル・コーディネイト領域に格納している高度情報は、ＷＧＳ−８４座標系を用いたＧＰＳによって測位されたものであり、３個の衛星から受信した信号によって求められたものであることを示す。
【００４６】
さらに、上位４ビットＭが“Ｅ”の値である場合には、スペーシャル・コーディネイト領域に格納している高度情報は、ＷＧＳ−８４座標系を用いたＧＰＳによって測位されたものであり、４個以上の衛星から受信した信号によって求められたものであることを示す。
【００４７】
さらにまた、上位４ビットＭが“Ｆ”の値である場合には、スペーシャル・コーディネイト領域に格納している高度情報は、ＷＧＳ−８４座標系を用いたＧＰＳによって測位されたものであり、特にディファレンシャル・ＧＰＳ（Differential GPS；以下、Ｄ−ＧＰＳという。）によって測位されたものであることを示す。
【００４８】
ここで、Ｄ−ＧＰＳとは、衛星から自己のＧＰＳ受信機が受信した信号と同一の信号を、正確な位置が既知である固定された基準局においても受信し、この基準局にて測位誤差を算出して得られた補正データをＦＭ（Frequency Modulation）放送局を介してＦＭ多重放送によって利用者に対して送信することにより、自己のＧＰＳ受信機が受信した信号に基づいて求められた位置情報を補正データに基づいて補正して、自己の位置情報を正確に得ることができるシステムであり、単独測位に比べ、求められたデータの信頼度が非常に高いものである。
【００４９】
一方、下位４ビットＬが“０”から“９”までの値である場合には、スペーシャル・コーディネイト領域に格納している高度情報は、従来のＵＭＩＤと同様に、地球の中心からの距離を第１バイト目乃至第４バイト目で記述するものとなる。
【００５０】
また、下位４ビットＬが“Ａ”の値である場合には、スペーシャル・コーディネイト領域に格納している高度情報は、ＷＧＳ−８４座標系において正値で表されるものであり、映像データ及び音声データ並びにメタデータからなる素材データを作成して記録する記録機器自体の高度情報であることを示す。すなわち、この場合においてスペーシャル・コーディネイト領域に格納している高度情報は、例えば図４（Ａ）に示すように、素材データとなる映像データ及び音声データをカメラレコーダである撮影及び記録機器１０ａによって撮影してその場でテープ等の記録媒体２０ａに記録するような状況において、撮影及び記録機器１０ａが備えるＧＰＳ受信機３０ａによって受信した撮影及び記録機器１０ａの高度情報を意味する。
【００５１】
さらに、下位４ビットＬが“Ｂ”の値である場合には、スペーシャル・コーディネイト領域に格納している高度情報は、ＷＧＳ−８４座標系において正値で表されるものであり、記録機器とは異なる外部機器の高度情報であることを示す。すなわち、この場合においてスペーシャル・コーディネイト領域に格納している高度情報は、例えば同図（Ｂ）に示すように、素材データとなる映像データ及び音声データを撮影機器１０ｂによって撮影し、その映像データ及び音声データを遠隔地にあるＶＴＲ（Video Tape Recorder）等の記録機器４０ｂに伝送して記録媒体２０ｂに記録するような状況において、撮影機器１０ｂが備えるＧＰＳ受信機３０ｂによって受信した撮影機器１０ｂの高度情報を意味する。
【００５２】
さらにまた、下位４ビットＬが“Ｃ”の値である場合には、スペーシャル・コーディネイト領域に格納している高度情報は、ＷＧＳ−８４座標系において正値で表されるものであり、被写体の高度情報であることを示す。すなわち、この場合においてスペーシャル・コーディネイト領域に格納している高度情報は、例えば同図（Ｃ）に示すように、被写体５０ｃを撮影及び記録機器１０ｃによって移動撮影して記録媒体２０ｃに記録するような状況において、被写体５０ｃが所持するＧＰＳ受信機３０ｃによって受信した被写体５０ｃの高度情報を意味する。
【００５３】
また、下位４ビットＬが“Ｄ”の値である場合には、スペーシャル・コーディネイト領域に格納している高度情報は、ＷＧＳ−８４座標系において負値で表されるものであり、例えば同図（Ａ）に示したように、映像データ及び音声データ並びにメタデータからなる素材データを作成して記録する記録機器自体の高度情報であることを示す。
【００５４】
さらに、下位４ビットＬが“Ｅ”の値である場合には、スペーシャル・コーディネイト領域に格納している高度情報は、ＷＧＳ−８４座標系において負値で表されるものであり、例えば同図（Ｂ）に示したように、記録機器とは異なる外部機器の高度情報であることを示す。
【００５５】
さらにまた、下位４ビットＬが“Ｆ”の値である場合には、スペーシャル・コーディネイト領域に格納している高度情報は、ＷＧＳ−８４座標系において負値で表されるものであり、例えば同図（Ｃ）に示したように、被写体の高度情報であることを示す。
【００５６】
このような新たに提案するフォーマットにおいては、スペーシャル・コーディネイト領域において記述可能な高度情報は、−９９９，９９９ｍから＋９９９，９９９ｍまでの値となるが、地球上の高度を表現するには十分に対応できる範囲である。具体的には、「高度１２３ｍにおいて記録機器でのＤ−ＧＰＳ測位によって求められた高度情報である」ことを表現する場合には、スペーシャル・コーディネイト領域に格納される高度情報は、第１バイト目が“０ｘ２３”と記述され、第２バイト目が“０ｘ０１”と記述され、第３バイト目が“０ｘ００”と記述され、第４バイト目が“０ｘＦＡ”と記述される。
【００５７】
このように、新たに提案するフォーマットにおいては、スペーシャル・コーディネイト領域に格納している高度情報として、地球の中心からの距離を記述するための余地を残して従来のフォーマットとの上位互換性を保ちつつ、ＧＰＳによって測位された高度情報を記述することができる。そのため、新たに提案するフォーマットにおいては、スペーシャル・コーディネイト領域に格納している高度情報を、直感的に把握できる実用に即した値とすることができる。
【００５８】
また、新たに提案するフォーマットにおいては、上位４ビットＭの値に応じて、スペーシャル・コーディネイト領域に格納している高度情報が、従来のＵＭＩＤに則した記述であるのか、手入力されたものであるのか、又はＧＰＳによって測位されたものであるのかといった、測位方法に関する情報を記述することができる。ここで、新たに提案するフォーマットにおいて、スペーシャル・コーディネイト領域に格納している高度情報が手入力されたものであることを記述可能としたのは、ＧＰＳを用いて位置情報を取得できない場合にも対応可能とするためである。
【００５９】
さらに、新たに提案するフォーマットにおいては、ＧＰＳによって測位された場合における衛星捕捉数やＤ−ＧＰＳによって測位されたことを示す情報を記述することができるため、スペーシャル・コーディネイト領域に格納している高度情報の信頼性の指標を表現することが可能となる。すなわち、スペーシャル・コーディネイト領域に格納している高度情報は、測位に用いられた衛星捕捉数が０個から２個の場合には、その信頼性はなく、衛星捕捉数が３個以上の場合には、その数が多いほど信頼性が高く、Ｄ−ＧＰＳによって測位された場合に最も信頼性が高いものとなる。
【００６０】
さらにまた、新たに提案するフォーマットにおいては、下位４ビットＬの値に応じて、スペーシャル・コーディネイト領域に格納している高度情報の正負識別を記述することができるとともに、測位対象が記録機器であるのか、外部機器であるのか、又は被写体であるのかといった、測位対象に関する情報を記述することができる。これにより、新たに提案するフォーマットにおいては、ライブフィードや衛星中継等の場合には、遠隔地で撮影されている映像データ及び音声データであることを識別することができ、レース撮影等のように被写体が撮影機器に対して相対的に移動する場合にも、その旨の情報を表現することができる。
【００６１】
なお、ＵＭＩＤは、各素材データ毎に固有に付与される識別子であるため、スペーシャル・コーディネイト領域に格納される位置情報としては、各素材データ毎に一定であってもよいが、映像データ及び音声データが複数のフレームから構成されることを考慮して、位置情報を所定の時間毎に変化させてもよい。ＵＭＩＤにおいては、特に移動撮影によって作成された素材データの場合といったように、時間的に撮影場所が変化するような場合には、位置情報を所定の時間毎に変化させることにより、素材データの認識を容易にすることができる。
【００６２】
さて、以下では、このような新たに提案するフォーマットに基づくデータを伝送するデータ伝送装置として、図５に示すカメラレコーダ１００に適用した場合について説明する。ここでは、カメラレコーダ１００には、衛星からの信号を受信して位置情報を取得する位置情報取得手段であるＧＰＳ受信機１１０が備えられ、データ伝送システムを構成するものとして説明する。
【００６３】
カメラレコーダ１００は、同図に示すように、被写体を撮影するための撮影部１０１と、各部を制御するとともにデータ生成手段として機能する制御部１０２と、図示しない記録媒体に対して素材データの記録及び再生を行う記録手段及び再生手段である記録／再生部１０３と、素材データを外部へと伝送する伝送手段であるインターフェース部１０４とを備える。
【００６４】
撮影部１０１は、被写体を撮影するための光学系等を有し、撮影した映像データ及び音声データを制御部１０２へと供給する。
【００６５】
制御部１０２は、撮影部１０１から供給された映像データ及び音声データを、例えばいわゆるＨＤＴＶ（High Definition TeleVision）に対応するＨＤＣＡＭフォーマット等の所定のフォーマットに変換し、記録／再生部１０３へと供給する。この際、制御部１０２は、外部から各種メタデータを入力し、映像データ及び音声データとともに、メタデータを所定のフォーマットに変換し、記録／再生部１０３へと供給する。このメタデータとしては、図示しない入力部等を介して入力されたものや、ＧＰＳ受信機１１０によって取得された位置情報が含まれる。制御部１０２は、記録／再生部１０３を制御して、図示しない記録媒体に素材データを記録させる。さらに、制御部１０２は、記録／再生部１０３を制御して、記録媒体に記録されている素材データを再生させ、インターフェース部１０４へと供給する。このとき、制御部１０２は、再生された素材データのうち、メタデータについて、上述したＫＬＶプロトコル及びＵＭＩＤのフォーマットに基づいて記述して格納し、インターフェース部１０４へと供給する。特に、制御部１０２は、位置情報に関するメタデータについて、上述したＵＭＩＤを拡張して新たに提案するフォーマットに基づいて記述して格納することによって識別データを生成する。なお、位置情報に関するメタデータは、ＧＰＳ受信機１１０によって取得したカメラレコーダ１００自体の位置情報に関するもののみならず、外部機器や被写体の位置情報に関するものが含まれるのはいうまでもない。
【００６６】
記録／再生部１０３は、制御部１０２の制御のもとに、制御部１０２から供給される素材データを図示しない記録媒体に記録する。また、記録／再生部１０３は、制御部１０２の制御のもとに、記録媒体に記録されている素材データを再生し、制御部１０２へと供給する。ここで、記録媒体としては、テープ状記録媒体の他、例えばハードディスク等のディスク状記録媒体であってもよい。また、記録媒体は、記録／再生部１０３を介して着脱されるものであってもよく、内蔵されるものであってもよい。
【００６７】
インターフェース部１０４は、制御部１０２から供給された映像データ及び音声データ並びにメタデータからなる素材データを、例えば、ＳＭＰＴＥによって規格化されているＳＤＩ（Serial Digital Interface）フォーマットや、ＳＭＰＴＥによって規格化されているＳＤＴＩ（Serial Digital Transport Interface）フォーマットや、ＳＭＰＴＥによって規格化されているＳＤＴＩ−ＣＰ（Serial Digital Transport Interface - Content Package）フォーマット等の所定の伝送フォーマットに変換し、外部へと伝送する。
【００６８】
ここで、１フレームにおけるＳＤＩフォーマットのデータ構造について、図６を用いて説明する。なお、同図上段は、全体のデータ構造を示し、同図下段は、１ライン分のデータ構造を示している。
【００６９】
ＳＤＩフォーマットは、ＮＴＳＣ（National Television System Committee）５２５方式の場合には、同図に示すように、水平方向に１ラインあたり１０ビット／ワードで１７１６ワード、垂直方向に５２５ラインで構成され、水平方向に、ペイロード領域（ＰＡＤ領域）の終了同期を示す同期符号ＥＡＶ（End of Active Video）が格納される４ワードのＥＡＶ領域と、ヘッダデータや補助データ等が格納される２６８ワードのアンシラリデータ領域（ＡＮＣ領域）と、ペイロード領域（ＰＡＤ領域）の開始同期を示す同期符号ＳＡＶ（Start of Active Video）が格納される４ワードのＳＡＶ領域と、主に映像データ等が格納される１４４０ワードのペイロード領域（ＰＡＤ領域）とを備え、垂直方向に、１フレームを構成する例えば奇数フィールドである第１フィールドと例えば偶数フィールドである第２フィールドとを分割して備える。また、１フレームにおけるＳＤＩフォーマットは、ＰＡＬ（Phase Alternation by Line）６２５方式の場合には、同図中括弧内の数字に示すように、水平方向に１ラインあたり１０ビット／ワードで１７２８ワード、垂直方向に６２５ラインで構成され、水平方向に、４ワードのＥＡＶ領域と、２８０ワードのアンシラリデータ領域（ＡＮＣ領域）と、４ワードのＳＡＶ領域と、１４４０ワードのペイロード領域（ＰＡＤ領域）とを備え、垂直方向に、１フレームを構成する例えば奇数フィールドである第１フィールドと例えば偶数フィールドである第２フィールドとを分割して備える。
【００７０】
ＥＡＶ領域は、ペイロード領域（ＰＡＤ領域）の終了同期を示す４ワードの同期符号を格納する。
【００７１】
ＳＡＶ部は、ペイロード領域（ＰＡＤ領域）の開始同期を示す４ワードの同期符号を格納する。
【００７２】
なお、ＥＡＶ領域及びＳＡＶ領域に格納される同期符号は、その他の領域に格納される符号としては絶対に出現しない符号が割り当てられている。
【００７３】
アンシラリデータ領域（ＡＮＣ領域）は、主に、ヘッダデータや音声データや補助データ（auxiliary data）を格納する。
【００７４】
ペイロード領域（ＰＡＤ領域）は、ＮＴＳＣ５２５方式の場合には、２４ラインの垂直ブランキング領域（ＶＢＫ１）と、１０ラインのオプショナルブランキング領域（ＯＢＫ１）と、２４４ラインの第１フィールドアクティブビデオ領域（ＡＣＶ１）と、９ラインの垂直ブランキング領域（ＶＢＫ２）と、１０ラインのオプショナルブランキング領域（ＯＢＫ２）と、２４３ラインの第２フィールドアクティブビデオ領域（ＡＣＶ２）とを有する。また、ペイロード領域（ＰＡＤ領域）は、ＰＡＬ６２５方式の場合には、２５ラインの垂直ブランキング領域（ＶＢＫ１）と、１０ラインのオプショナルブランキング領域（ＯＢＫ１）と、２８８ラインの第１フィールドアクティブビデオ領域（ＡＣＶ１）と、２５ラインの垂直ブランキング領域（ＶＢＫ２）と、１０ラインのオプショナルブランキング領域（ＯＢＫ２）と、２８８ラインの第２フィールドアクティブビデオ領域（ＡＣＶ２）とを有する。ペイロード領域（ＰＡＤ領域）は、主に、映像データを格納する。
【００７５】
このようなＳＤＩフォーマットは、いわゆるＤ１フォーマットやＤ２フォーマットといった非圧縮ディジタルデータを伝送するための伝送フォーマットである。カメラレコーダ１００において、インターフェース部１０４は、メタデータをアンシラリデータ領域（ＡＮＣ領域）に格納する。そして、インターフェース部１０４は、１ラインあたり１０ビット１０ビット幅のデータをパラレル−シリアル変換及び伝送路符号化して伝送する。
【００７６】
つぎに、１フレームにおけるＳＤＴＩフォーマットのデータ構造について、図７を用いて説明する。なお、同図上段は、全体のデータ構造を示し、同図下段は、１ライン分のデータ構造を示している。
【００７７】
ＳＤＴＩフォーマットは、ＳＤＩフォーマットと同様であって、ＮＴＳＣ５２５方式の場合には、同図に示すように、水平方向に１ラインあたり１０ビット／ワードで１７１６ワード、垂直方向に５２５ラインで構成され、水平方向に、ペイロード領域（ＰＡＤ領域）の終了同期を示す同期符号ＥＡＶが格納される４ワードのＥＡＶ領域と、ヘッダデータや補助データ等が格納される２６８ワードのアンシラリデータ領域（ＡＮＣ領域）と、ペイロード領域（ＰＡＤ領域）の開始同期を示す同期符号ＳＡＶが格納される４ワードのＳＡＶ領域と、主に映像データ等が格納される１４４０ワードのペイロード領域（ＰＡＤ領域）とを備え、垂直方向に、１フレームを構成する例えば奇数フィールドである第１フィールドと例えば偶数フィールドである第２フィールドとを分割して備える。また、１フレームにおけるＳＤＴＩフォーマットは、ＰＡＬ６２５方式の場合には、同図中括弧内の数字に示すように、水平方向に１ラインあたり１０ビット／ワードで１７２８ワード、垂直方向に６２５ラインで構成され、水平方向に、４ワードのＥＡＶ領域と、２８０ワードのアンシラリデータ領域（ＡＮＣ領域）と、４ワードのＳＡＶ領域と、１４４０ワードのペイロード領域（ＰＡＤ領域）とを備え、垂直方向に、１フレームを構成する例えば奇数フィールドである第１フィールドと例えば偶数フィールドである第２フィールドとを分割して備える。
【００７８】
アンシラリデータ領域（ＡＮＣ領域）は、主に、ヘッダデータや音声データや補助データ（auxiliary data）を格納する。特に、アンシラリデータ領域（ＡＮＣ領域）は、送信元アドレス、宛先アドレス、及びラインナンバ誤り検出符号等が格納される５３ワードのＳＤＴＩヘッダデータを格納する。なお、音声データは、ペイロード領域（ＰＡＤ領域）に格納されてもよい。この場合には、必要がなければ、アンシラリデータ領域（ＡＮＣ領域）に音声データが格納されることはない。
【００７９】
ペイロード領域（ＰＡＤ領域）は、主に、映像データを格納する。ペイロード領域（ＰＡＤ領域）は、ブランクデータ領域（ＢＤＴ１，ＢＤＴ２）と、データ領域（ＤＴ１，ＤＴ２）とを有するが、各領域のライン数は定義されていない。
【００８０】
このようなＳＤＴＩフォーマットは、主に、複数の放送局用機器の間を接続するための伝送フォーマットであり、例えば、いわゆるＭＰＥＧ（Moving Picture Experts Group）方式やいわゆるＤＶ（Digital Video）方式等によって圧縮ディジタルデータを伝送するために規格化されたものである。カメラレコーダ１００において、インターフェース部１０４は、メタデータをアンシラリデータ領域（ＡＮＣ領域）中のＳＤＴＩヘッダデータを除いた領域に格納する。そして、インターフェース部１０４は、１ラインあたり１０ビット１０ビット幅のデータをパラレル−シリアル変換及び伝送路符号化して伝送する。
【００８１】
つぎに、１フレームにおけるＳＤＴＩ−ＣＰフォーマットのデータ構造について、図８を用いて説明する。
【００８２】
ＳＤＴＩ−ＣＰフォーマットは、ＳＤＴＩフォーマットをさらに限定したものであり、ペイロード領域の構成に変更を加えて各種データを格納しやすいようにしたものである。ＳＤＴＩ−ＣＰフォーマットにおいては、ペイロード領域に格納するデータを“アイテム（Item）”で区切り、各種データを各アイテムに格納する。具体的には、ＳＤＴＩ−ＣＰフォーマットは、同図に示すように、ペイロード領域が、システム・アイテム（System Item）と、ピクチャ・アイテム（Picture Item）と、オーディオ・アイテム（Audio Item）と、補助・アイテム（Auxiliary Item）とに区切られている。さらに、システム・アイテムは、図示しないが、システム・アイテム・ビットマップ（System Item Bitmap）、コンテント・パッケージ・レート（Content Package Rate）、ＳＭＰＴＥ・ユニバーサル・ラベル（SMPTE Universal Label）、パッケージ・メタデータ・セット（Package Metadata Set）、ピクチャ・メタデータ・セット（Picture Metadata Set）、オーディオ・メタデータ・セット（Audio Metadata Set）、及び補助・メタデータ・セット（Auxiliary Metadata Set）等の領域を有している。
【００８３】
このようなＳＤＴＩ−ＣＰフォーマットは、例えば、ＭＰＥＧ２方式におけるビデオ・エレメンタリ・ストリーム（Video Elementary Stream）等を含む他、音声データやメタデータを含む補助データ等の各種データをまとめて伝送することができる。カメラレコーダ１００において、インターフェース部１０４は、メタデータをシステム・アイテムにおけるパッケージ・メタデータ・セット、ピクチャ・メタデータ・セット、オーディオ・メタデータ・セット、及び補助・メタデータ・セットの領域に格納する。
【００８４】
このようなカメラレコーダ１００は、制御部１０２により、記録媒体から再生された素材データのうち、位置情報に関するメタデータについて、上述したＵＭＩＤを拡張して新たに提案するフォーマットに基づいて記述して格納し、インターフェース部１０４により、上述した所定の伝送フォーマットに変換して、外部へと伝送することができる。そのため、カメラレコーダ１００は、高度情報として、ＧＰＳを用いて測位された意味のある情報を有効利用して記述することができる。
【００８５】
以上説明したように、本発明の実施の形態として示すデータ伝送装置は、スペーシャル・コーディネイト領域に格納される高度情報として、従来のフォーマットとの上位互換性を保ちつつ、ＧＰＳによって測位された意味のある高度情報を記述した識別データを生成することができる。また、データ伝送装置は、スペーシャル・コーディネイト領域に格納される高度情報の測位方法、正負識別及び測位対象に関する情報を記述した識別データを生成することができる。さらに、データ伝送装置は、ＧＰＳによって測位された場合における衛星捕捉数やＤ−ＧＰＳによって測位されたことを示す情報を記述した識別データを生成することができるため、スペーシャル・コーディネイト領域に格納している高度情報の信頼性の指標を表現することができる。このように、新たに提案するフォーマットに基づいた識別データを生成することができるデータ伝送装置は、使用者に対して高い利便を提供することができる。
【００８６】
なお、本発明は、上述した実施の形態に限定されるものではなく、例えば、識別情報の意味付けの定義としては、上述した実施の形態として示したもの以外であってもよく、任意に変更が可能である。
【００８７】
また、上述した実施の形態では、データ伝送装置を、主に素材データの収録及び作成時に用いられるカメラレコーダに適用した場合について説明したが、本発明は、例えば、編集作業時や送出時に用いられるサーバ装置といったように、カメラレコーダ以外の機器であっても適用することができる。
【００８８】
このように、本発明は、その趣旨を逸脱しない範囲で適宜変更が可能であることはいうまでもない。
【００８９】
【発明の効果】
以上詳細に説明したように、本発明にかかるデータ伝送装置は、記録媒体に記録されている映像データ及び音声データを含む素材データを伝送するデータ伝送装置であって、映像データ及び音声データに関する付加的なデータであるメタデータを格納するバリュー領域と、このバリュー領域の前段に設けられメタデータのデータ長を記述するバリュー・レングス領域と、このバリュー・レングス領域の前段に設けられメタデータに対して固有のラベリングを施すためのユニバーサル・ラベル・データ・キー領域とに大別され、バリュー領域として少なくとも、素材データを区別するための符号を格納するマテリアル・ナンバ領域と、素材データが作成された場所に関する位置情報を示す符号を格納するスペーシャル・コーディネイト領域とを有し、素材データのそれぞれ毎に付与する固有の識別データを生成するデータ生成手段と、識別データを伝送する伝送手段とを備え、素材データが作成された場所に関する位置情報は、高度情報、経度情報及び緯度情報としてスペーシャル・コーディネイト領域に格納されており、データ生成手段は、スペーシャル・コーディネイト領域に格納される高度情報の一部に、少なくとも、高度情報が地球の中心からの距離であるか、又は高度情報が所定の測地座標系を用いて測位された地球楕円体の表面からの距離であるかを識別可能とする識別情報を記述して、識別データを生成する。
【００９０】
したがって、本発明にかかるデータ伝送装置は、スペーシャル・コーディネイト領域に格納される高度情報の一部に、少なくとも、高度情報が地球の中心からの距離であるか、又は高度情報が所定の測地座標系を用いて測位された地球楕円体の表面からの距離であるかを識別可能とする識別情報を記述した識別データを生成して伝送することにより、スペーシャル・コーディネイト領域に格納される高度情報として、地球の中心からの距離を記述するための余地を残して従来のフォーマットとの上位互換性を保ちつつ、外部から取得した意味のある高度情報を有効利用して、直感的に把握できる実用に即した値を記述した識別データを生成することができ、識別データを使用する使用者に高い利便を提供することができる。
【００９１】
また、本発明にかかるデータ伝送方法は、記録媒体に記録されている映像データ及び音声データを含む素材データを伝送するデータ伝送方法であって、映像データ及び音声データに関する付加的なデータであるメタデータを格納するバリュー領域と、このバリュー領域の前段に設けられメタデータのデータ長を記述するバリュー・レングス領域と、このバリュー・レングス領域の前段に設けられメタデータに対して固有のラベリングを施すためのユニバーサル・ラベル・データ・キー領域とに大別され、バリュー領域として少なくとも、素材データを区別するための符号を格納するマテリアル・ナンバ領域と、素材データが作成された場所に関する位置情報を示す符号を格納するスペーシャル・コーディネイト領域とを有し、素材データのそれぞれ毎に付与する固有の識別データを生成するデータ生成工程と、識別データを伝送する伝送工程とを備え、素材データが作成された場所に関する位置情報は、高度情報、経度情報及び緯度情報としてスペーシャル・コーディネイト領域に格納されており、データ生成工程では、スペーシャル・コーディネイト領域に格納される高度情報の一部に、少なくとも、高度情報が地球の中心からの距離であるか、又は高度情報が所定の測地座標系を用いて測位された地球楕円体の表面からの距離であるかを識別可能とする識別情報が記述され、識別データが生成される。
【００９２】
したがって、本発明にかかるデータ伝送方法は、スペーシャル・コーディネイト領域に格納される高度情報の一部に、少なくとも、高度情報が地球の中心からの距離であるか、又は高度情報が所定の測地座標系を用いて測位された地球楕円体の表面からの距離であるかを識別可能とする識別情報を記述した識別データを生成して伝送することにより、スペーシャル・コーディネイト領域に格納される高度情報として、地球の中心からの距離を記述するための余地を残して従来のフォーマットとの上位互換性を保ちつつ、外部から取得した意味のある高度情報を有効利用して、直感的に把握できる実用に即した値を記述した識別データを生成することが可能となり、識別データを使用する使用者に高い利便を提供することが可能となる。
【００９３】
さらに、本発明にかかる伝送データ構造は、記録媒体に記録されている映像データ及び音声データを含む素材データのそれぞれ毎に付与される固有の識別データを伝送するための伝送データ構造であって、識別データは、映像データ及び音声データに関する付加的なデータであるメタデータを格納するバリュー領域と、このバリュー領域の前段に設けられメタデータのデータ長を記述するバリュー・レングス領域と、このバリュー・レングス領域の前段に設けられメタデータに対して固有のラベリングを施すためのユニバーサル・ラベル・データ・キー領域とに大別され、バリュー領域として少なくとも、素材データを区別するための符号を格納するマテリアル・ナンバ領域と、素材データが作成された場所に関する位置情報を示す符号を格納するスペーシャル・コーディネイト領域とを有し、素材データが作成された場所に関する位置情報は、高度情報、経度情報及び緯度情報としてスペーシャル・コーディネイト領域に格納され、スペーシャル・コーディネイト領域に格納される高度情報の一部に、少なくとも、高度情報が地球の中心からの距離であるか、又は高度情報が所定の測地座標系を用いて測位された地球楕円体の表面からの距離であるかを識別可能とする識別情報が記述される。
【００９４】
したがって、本発明にかかる伝送データ構造は、スペーシャル・コーディネイト領域に格納される高度情報の一部に、少なくとも、高度情報が地球の中心からの距離であるか、又は高度情報が所定の測地座標系を用いて測位された地球楕円体の表面からの距離であるかを識別可能とする識別情報を記述することにより、スペーシャル・コーディネイト領域に格納される高度情報として、地球の中心からの距離を記述するための余地を残して従来のフォーマットとの上位互換性を保ちつつ、外部から取得した意味のある高度情報を有効利用して、直感的に把握できる実用に即した値を記述することができ、この識別データを使用する使用者に高い利便を提供することを可能とする。
【図面の簡単な説明】
【図１】ＫＬＶフォーマットのデータ構造を説明する図である。
【図２】ＵＭＩＤのデータ構造を説明する図である。
【図３】スペーシャル・コーディネイト領域のデータ構造を説明する図である。
【図４】スペーシャル・コーディネイト領域に格納される高度情報を記述する第４バイト目の下位４ビットの意味付けを説明するために、測位対象が異なる状況を説明するための図であって、（Ａ）は、素材データを撮影してその場で記録媒体に記録する状況を示し、（Ｂ）は、素材データを撮影して遠隔地に伝送して記録媒体に記録する状況を示し、（Ｃ）は、被写体を移動撮影して記録媒体に記録する状況を示す図である。
【図５】本発明の実施の形態として示すデータ伝送装置の具体例としてのカメラレコーダを備えるデータ伝送システムの構成を説明するブロック図である。
【図６】１フレームにおけるＳＤＩフォーマットのデータ構造を説明する図である。
【図７】１フレームにおけるＳＤＴＩフォーマットのデータ構造を説明する図である。
【図８】１フレームにおけるＳＤＴＩ−ＣＰフォーマットのデータ構造を説明する図である。
【図９】ＵＭＩＤのデータ構造を説明する図である。
【図１０】スペーシャル・コーディネイト領域のデータ構造を説明する図である。
【図１１】地球楕円体を説明する図である。
【図１２】地球楕円体における一の子午線での断面を説明する図である。
【符号の説明】
１０ａ，１０ｃ  撮影及び記録機器、  １０ｂ  撮影機器、  ２０ａ，２０ｂ，２０ｃ  記録媒体、  ３０ａ，３０ｂ，３０ｃ，１１０  ＧＰＳ受信機、  ４０ｂ  記録機器、  ５０ｃ  被写体、  １００  カメラレコーダ、  １０１  撮影部、  １０２  制御部、  １０３  記録／再生部、  １０４  インターフェース部
【図１】
0004529304.tif 000004
【図２】
0004529304.tif 000005
【図３】
0004529304.tif 000006
【図４】
0004529304.tif 000007
【図５】
0004529304.tif 000008
【図６】
0004529304.tif 000009
【図７】
0004529304.tif 000010
【図８】
0004529304.tif 000011
【図９】
0004529304.tif 000012
【図１０】
0004529304.tif 000013
【図１１】
0004529304.tif 000014
【図１２】
0004529304.tif 000015